(57)【要約】【課題】本考案は、上実部の厚みが厚かったりしても、接合目地であることが分からない、外壁板の接合目地を提供するものである。【解決手段】第１基板部と、該第１基板部から連設し下方前方に傾斜する第１斜面部と、該第１斜面部から連設する第２基板部と、該第２基板部から連設し前方に垂直に立ち上がる水平部と、該水平部の前方部分に上向き斜片部と下向き斜片部とを有し、該下向き斜片部が該上向き斜片部よりも前方に位置しており、さらに前記水平部の途中から連設し前記第２基板部よりも前方に位置している第３基板部と、該第３基板部から連設し下方後方に傾斜する第２斜面部とからなり、前記第１基板部または前記第２基板部にビス孔を有し、前記第１斜面部に釘孔を有する外壁板の留め付け金具を用いて外壁板を施工することで、接合目地に発生する影をなくし、接合目地が目立たないようになる。【選択図】図１
0003117144.tif 000002
【実用新案登録請求の範囲】
【請求項１】
第１基板部と、該第１基板部から連設し下方前方に傾斜する第１斜面部と、該第１斜面部から連設する第２基板部と、該第２基板部から連設し前方に垂直に立ち上がる水平部と、該水平部の前方部分に上向き斜片部と下向き斜片部とを有し、該下向き斜片部が該上向き斜片部よりも前方に位置しており、さらに前記水平部の途中から連設し前記第２基板部よりも前方に位置している第３基板部と、該第３基板部から連設し下方後方に傾斜する第２斜面部とからなり、前記第１基板部または前記第２基板部にビス孔を有し、前記第１斜面部に釘孔を有する外壁板の留め付け金具。
【考案の詳細な説明】
【技術分野】
【０００１】
本考案は、下地材に外壁板を留め付ける留め付け金具に関するものである。
【背景技術】
【０００２】
従来から外壁板に上実部、下実部を形成して留め付け金具で施工することが行われている。この際、板の厚み精度が悪く、上実部の厚みが厚くなったり、また、下地の不陸等によって、上下の外壁板の接合目地の底面に影が発生し（図６の（１９）の部分）、そのため外壁板の表面化粧目地との差が歴然とし、外壁板と外壁板との接合部であることが、非常によく分かってしまい、外壁としての美観が損なわれる。
そのため、上実端部の厚みをわざと薄く設定したりしている。
【特許文献１】実開平６−４０１６８号公報
【考案の開示】
【考案が解決しようとする課題】
【０００３】
本考案は、上実部が厚くなっても、接合目地であることが分からない、目地構造のための留め付け金具を提供するものである。
【課題を解決するための手段】
【０００４】
上記の課題を解決するために本請求項１に記載の考案は、第１基板部と、該第１基板部から連設し下方前方に傾斜する第１斜面部と、該第１斜面部から連設する第２基板部と、該第２基板部から連設し前方に垂直に立ち上がる水平部と、該水平部の前方部分に上向き斜片部と下向き斜片部とを有し、該下向き斜片部が該上向き斜片部よりも前方に位置しており、さらに前記水平部の途中から連設し前記第２基板部よりも前方に位置している第３基板部と、該第３基板部から連設し下方後方に傾斜する第２斜面部とからなり、前記第１基板部または前記第２基板部にビス孔を有し、前記第１斜面部に釘孔を有する外壁板の留め付け金具である。
【考案の効果】
【０００５】
本考案の留め付け金具を使用することで、上実部の厚みが厚かったりしても、接合目地であることが分からない、外壁板の接合目地を提供できる。
【考案を実施するための最良の形態】
【０００６】
以下図面を用いて、本考案を実施するための最良の形態を説明する。
【実施例１】
【０００７】
図１は、本考案の外壁板留め付け金具（１）の斜視図、図２は側面図であり、図３は外壁板（１５）を施工した説明図である。
本考案における上下方向とは、天地方向、前方とは外面側、外側、室外側、後方とは内面側、下地側、室内側のことをいう。
【０００８】
図１に示すように、この留め付け金具（１）は、ビス孔（１１）を有しまたは有さない下地（３０）に接地する第１基板部（２）と、第１基板部（２）から連設し釘（２０）が斜めに打ち込まれる釘孔（１０）を有する第１斜面部（３）と、第１斜面部（３）から連設しビス孔（１１）を有しまたは有さない第２基板部（４）と、第２基板部（４）から連設し前方に垂直に立ち上がる水平部（５）と、水平部（５）の前方部分に上側の外壁板の上実側の奥実部（１７）を係止する上向き斜片部（６）と、下側の外壁板の下実側の下実部（１８）を係止する下向き斜片部（７）とを有し、下向き斜片部（７）が上向き斜片部（６）よりも前方に位置しており、さらに水平部（５）の途中から連設し第２基板部（４）よりも前方に位置している第３基板部（８）と、第３基板部（８）から連設し下方後方に傾斜する第２斜面部（９）とからなる。
そして、第２基板部（４）と水平部（５）と上向き斜片部（６）とに挟まれる空間は奥実嵌合部（１２）、第３基板部（８）と水平部（５）と下向き斜片部（７）とに挟まれる空間は下実嵌合部（１３）となる。
さらに、第２斜面部（９）から連設して下地（３０）に接する第４基板部を設けても良い。
【０００９】
ここで、本考案の留め付け金具（１）を用いた外壁板の施工について説明する。
図３に示すように、下側の外壁板（１５）の下端部は別の金具またはスタータ
ーにて下地（３０）に取り付けられている。
その下側の外壁板（１５）の下実部（１８）に留め付け金具（１）の下実嵌合部（１３）を挿入し、釘打ちまたはビス留めをする。
そして、留め付け金具（１）の奥実嵌合部（１２）に上側の外壁板の奥実部（１７）を嵌合させ、上方に向かって同様に繰り返し施工していく。
ここで、上方の外壁板（１５）は従来例の図６のごとく、上実部（１６）の厚みが通常よりも厚く、従来の金具では接合目地（１９）に影が発生するが、本考案の留め付け金具（１）を用いると、第３基板部（８）が第２基板部（４）よりも前方に出ているので、下方の外壁板（１５）裏面が上方の外壁板（１５）の裏面よりも前方に位置することになり、接合目地（１９）に影は発生しない。
したがって、接合目地（１９）が目立つことはなく、美観が損なわれることはない。
ここでは、釘打ちにより施工したが、当然ビス留めにより施工してもよい。
【００１０】
外壁板としては、いわゆる窯業系サイディング、ガラス繊維混入セメント板、
パルプ混入セメント押出成形板、木繊維混入セメントけい酸カルシウム板、繊維混入セメントけい酸カルシウム板、硬質木片セメント板、スラグセメントパーライト板などが使用される。
【００１１】
図４、図５は本考案の別の実施例の一例であり、上向き斜片部（６ａ）と下向き斜片部（７ａ）とが水平部（５ａ）の端縁から連設されたもので、上向き斜片部（６ａ）は下向き斜片部（７ａ）を挟んで左右に２個配置されている。
効果等は実施例１と同様である。
【図面の簡単な説明】
【００１２】
【図１】本考案の外壁板留め付け金具の斜視図
【図２】本考案の留め付け金具の側面図
【図３】本考案の留め付け金具を用いた外壁板の施工説明図
【図４】本考案の別の留め付け金具の斜視図
【図５】本考案の別の留め付け金具の側面図
【図６】従来の金具を用いた外壁板の施工参考図
【符号の説明】
【００１３】
１、１ａ      留め付け金具
２、２ａ      第１基板部
３、３ａ      第１斜面部
４、４ａ      第２基板部
５、５ａ      水平部
６、６ａ      上向き斜片部
７、７ａ      下向き斜片部
８、８ａ      第３基板部
９、９ａ      第２斜面部
１０、１０ａ  釘孔
１１、１１ａ  ビス孔
１２、１２ａ  奥実嵌合部
１３、１３ａ  下実嵌合部
１５          外壁板
１６          上実部
１７          奥実部
１８          下実部
１９          接合目地
２０          釘
３０          下地
【図１】
0003117144.tif 000003
【図２】
0003117144.tif 000004
【図３】
0003117144.tif 000005
【図４】
0003117144.tif 000006
【図５】
0003117144.tif 000007
【図６】
0003117144.tif 000008